(57)【要約】      （修正有）【課題】寝たきりの人のために歩行、ランニングと同程度の衝撃を人工的に骨に加えることにより老化防止を行うことが出来る装置を提供する。【解決手段】サンダル１を足部に装着し、外部電源から制御回路部１０及びスイッチ付き可変抵抗器１１を介して電磁石４に間欠電流を流し、歩行、ランニングと同程度の衝撃を足裏から骨に加える。【選択図】図４
2019198599.tif 000002
【特許請求の範囲】
【請求項１】
靴およびサンダル形状の機器を足部に装着し、外部電源から制御回路部１０及びスイッチ付き可変抵抗器１１を介して電磁石４に間欠電流を流し、歩行、ランニングと同程度の衝撃を足裏から骨に加えることにより体力維持と老化防止を行う小型で軽量な寝たきり老化防止装置。
【請求項２】
靴およびサンダル形状の機器を足部に装着し、外部電源にから制御回路部２５、及びスイッチ付き可変抵抗器１１を介して減速機付きモーター２０、により回転レバー２１、が回転し、カムレバー１８、が振り子運動を行い連結されたウエイト１７、はスプリングＢ１９、を圧縮し回転レバー２１、が所定の位置でカムレバー１８、を解放しウエイト１７、はスプリングＢ１９、の反発力で瞬間的に上方に移動し、歩行、ランニングと同程度の衝撃を足裏から骨に加えることにより体力維持と老化防止を行う小型で軽量な寝たきり老化防止装置。
【請求項３】
靴およびサンダル形状の機器を足部に装着し、内部のバッテリー又は外部電源より充電されたバッテリーから制御回路部１０及びスイッチ付き可変抵抗器１１を介して電磁石４に間欠電流を流し、歩行、ランニングと同程度の衝撃を足裏から骨に加えることにより体力維持と老化防止を行う小型で軽量な寝たきり老化防止装置。
【請求項４】
靴およびサンダル形状の機器を足部に装着し、内部のバッテリー又は外部電源より充電されたバッテリーから制御回路部２５、及びスイッチ付き可変抵抗器１１を介して減速機付きモーター２０、により回転レバー２１、が回転し、カムレバー１８、が振り子運動を行い連結されたウエイト１７、はスプリングＢ１９、を圧縮し回転レバー２１、が所定の位置でカムレバー１８、を解放しウエイト１７、はスプリングＢ１９、の反発力で瞬間的に上方に移動し、歩行、ランニングと同程度の衝撃を足裏から骨に加えることにより体力維持と老化防止を行う小型で軽量な寝たきり老化防止装置。
【発明の詳細な説明】
【技術分野】
【０００１】本発明は、歩行、ランニング等が行えない寝たきりの人のために歩行、ランニングと同程度の衝撃を寝たままで人工的に骨に加えることにより老化防止を行うことが出来る、寝たきり老化防止装置に関するものである。
【背景技術】
【０００２】最近、骨に歩行、ランニング等の衝撃が加えられることにより、骨から出るメッセージ物質が血管を通じて全身に届けられ、記憶力、筋力、生殖力を向上する事がわかってきた。現在、高齢者の体力低下を防ぐために、低周波を利用した筋力強化機器や立位で乗る骨振動刺激機器等が市販されているが、寝たきりの人が靴およびサンダル形状の機器を足部に装着し寝たままで骨に衝撃を加えることが出来る小型で軽量な老化防止を行う機器は市販されていない。
こういった環境において寝たきりの人が歩行、ランニング等と同程度の衝撃を骨に加えることにより老化防止を進めることが出来る機器の社会的な意義は計りしれない。
【特許文献】
【０００３】
【発明の概要】
【０００４】本発明は、寝たきりの人のために歩行、ランニングと同程度の衝撃を人工的に骨に加えることにより老化防止を行うことが出来る、寝たきり老化防止装置である。
【発明が解決しようとする課題】
【０００５】現在、寝たきりの人は骨から出る体力維持のためのメッセージ物質が激減し、急激に体力が低下し、最悪の場合は死に至ってしまう。
この様な現状を解決するには歩行、ランニングと同程度の衝撃を人工的に骨に加えることにより体力維持及び老化防止を行う事が必要となっている。
【課題を解決するための手段】
【０００６】本発明により、寝たきりの人のために歩行、ランニングと同程度の衝撃を寝たままで人工的に骨に加えることにより体力維持と老化防止を行うことが出来る。
この様に寝たきりの姿勢で足部に装着する事により骨の人工的衝撃により骨から出たメッセージ物質が血管を通じて全身に届けられ、記憶力、筋力、生殖力を向上させる事を可能とした本発明の技術は極めて有用である。
【発明の効果】
【０００７】本発明は、寝たきりの人のために歩行、ランニングと同程度の衝撃を人工的に骨に加えることにより体力維持と老化防止を行うことが出来き、さら寝たきりの姿勢で足部に装着する事により骨への人工的衝撃により骨から出たメッセージ物質が血管を通じて全身に届けられ、記憶力、筋力、生殖力を向上させる事を可能とした。
【発明を実施するための形態】
【０００８】以下、本発明による寝たきり老化防止装置の図１、図２、は外観図である。
【０００９】以下、本発明による電磁石を使用した寝たきり老化防止装置を図１、図２、の外観図、図３、図４、に示す全体の構成図及び図７、に示す回路図に基づいて説明する。
【００１０】本発明の電磁石を使用した寝たきり老化防止装置はサンダル１と衝撃発生部の電磁石４、ゴムシート５、ヘッドパーツ７、可動鉄心８、防振ゴム６、スプリング９、電源コード１２、と衝撃制御部の制御回路部１０、スイッチ付き可変抵抗器１１、及び右カバー２左カバー３、により構成されている。
制御回路部１０、スイッチ付き可変抵抗器１１、はタッピングネジＣ１５、により左カバー３、に取り付けられ、電磁石４、ゴムシート５、ヘッドパーツ７、可動鉄心８、防振ゴム６、スプリング９、電源コード１２、は右カバー２、左カバー３、によって両側より挟まれてタッピングネジＢ１４、により結合され、サンダル１、にタッピングネジＡ１３、より取り付けられる。
【００１１】図１、２においてサンダル１、の底面部分を足とその足裏にストラップおよび固定バンド等により、しっかりと固定する。
【００１２】図３、４、７において電源コード１２、を電源に差し込み、スイッチ付き可変抵抗器１１、のスイッチをスライドさせスイッチを入れると制御回路部１０、のタイマー１１ｂ、が周期的に発振を行い、零スイッチ回路１１ｃ、により交流電源ＡＣの電圧の零位相を検出し、零位相からドライブ回路１１ｄ、を働かせて双方向性サイリスタＳ、を間欠動作させて電磁石４、に間欠電流を流す。
この間欠電流によって電磁石４、は励磁され、ヘッドパーツ７、を介して足裏の被衝撃部に断続的な衝撃を伝える。
【００１３】また、タイマー１１ｂ、の周期はスイッチ付き可変抵抗器１１、のスイッチの抵抗を変えることにより好みの衝撃回数に調節する事ができる。
【００１４】以下、本発明によるモーターとカムレバーとウエイトを使用した寝たきり老化防止装置を図１、図２、の外観図、図５、図６、に示す全体の構成図に基づいて説明する。
【００１５】本発明のモーターとカムレバーとウエイトを使用した寝たきり老化防止装置はサンダル１、と減速機付きモーター２０、回転レバー２１、カムレバー１８、衝撃発生部のウエイト１７、ネジ２２、ワッシャー２３、ゴムシート５、ヘッドパーツ７、シャフト１６、スプリングＢ１９、電源コード１２、モーターの制御回路部２５、スイッチ付き可変抵抗器１１、及び右カバー２、左カバー３、により構成されている。
制御回路部２５、及びスイッチ付き可変抵抗器１１、はタッピングネジＣ１５、により左カバー３、に取り付けられ、減速機付きモーター２０、及び回転レバー２１、は皿ビス２４、により右カバー２、に取り付けられる。ウエイト１７、はネジ２２、ワッシャー２３、を介してカムレバー１８、と連結され、カムレバー１８、ゴムシート５、ヘッドパーツ７、シャフト１６、スプリングＢ１９、電源コード１２、は右カバー２、左カバー３、によって両側より挟まれてタッピングネジＢ１４、により結合され、サンダル１、にタッピングネジＡ１３、より取り付けられる。
【００１６】図１、２においてサンダル１、の底面部分を足とその足裏にストラップおよび固定バンド等により、しっかりと固定する。
【００１７】図５、６において電源コード１２、を電源に差し込み、スイッチ付き可変抵抗器１１、のスイッチをスライドさせスイッチを入れると制御回路部２５、を介して、減速機付きモーター２０、に電流を流す。
この電流によって減速機付きモーター２０により回転レバー２１、が回転し、カムレバー１８、の前部の軸を中心にカムレバー１８、が振り子運動を行う。カムレバー１８、はネジ２２、ワッシャー２３、を介してウエイト１７、と連結され、ウエイト１７、はシャフト１６、に沿ってスプリングＢ１９、を圧縮する。
そして、回転レバー２１、が回転し、所定の位置でカムレバー１８、を解放するとウエイト１７、はスプリングＢ１９、の反発力で瞬間的に上方に移動し、その衝撃力がゴムシート５、を介してヘッドパーツ７、に伝達され足裏の被衝撃部に断続的な衝撃を伝える。
【００１８】また、衝撃の周期はスイッチ付き可変抵抗器１１のスイッチの抵抗を変えることにより好みに調節する事ができる。
【符号の説明】
【００１９】１・・・サンダル、２・・・右カバー、３・・・左カバー、４・・・電磁石、５・・・ゴムシート、６・・・防振ゴム、７・・・ヘッドパーツ、８、・・・可動鉄心、９、・・・スプリング、１０、・・・制御回路部、１１・・・スイッチ付き可変抵抗器、１２・・・電源コード、１３・・・タッピングネジＡ、１４・・・タッピングネジＢ、１５・・・タッピングネジＣ、１６・・・シャフト、１７・・・ウエイト、１８・・・カムレバー、１９・・・スプリングＢ、２０・・・減速機付きモーター、２１・・・回転レバー、２２・・・ネジ、２３・・・ワッシャー、２４・・・皿ビス、２５、・・・モーター制御回路部
【図１】
2019198599.tif 000003
【図２】
2019198599.tif 000004
【図３】
2019198599.tif 000005
【図４】
2019198599.tif 000006
【図５】
2019198599.tif 000007
【図６】
2019198599.tif 000008
【図７】
2019198599.tif 000009
【手続補正書】
【提出日】平成30年7月17日(2018.7.17)
【手続補正１】
【補正対象書類名】明細書
【補正対象項目名】全文
【補正方法】変更
【補正の内容】
【発明の詳細な説明】
【技術分野】
【０００１】本発明は、歩行、ランニング等が行えない寝たきりの人のために歩行、ランニングと同程度の衝撃を寝たままで人工的に骨に加えることにより老化防止を行うことが出来る、寝たきり老化防止装置に関するものである。
【背景技術】
【０００２】最近、骨に歩行、ランニング等の衝撃が加えられることにより、骨から出るメッセージ物質が血管を通じて全身に届けられ、記憶力、筋力、生殖力を向上する事がわかってきた。現在、高齢者の体力低下を防ぐために、低周波を利用した筋力強化機器や立位で乗る骨振動刺激機器等が市販されているが、寝たきりの人が靴およびサンダル形状の機器を足部に装着し寝たままで骨に衝撃を加えることが出来る小型で軽量な老化防止を行う機器は市販されていない。
こういった環境において寝たきりの人が歩行、ランニング等と同程度の衝撃を骨に加えることにより老化防止を進めることが出来る機器の社会的な意義は計りしれない。
【特許文献】
【０００３】
【発明の概要】
【０００４】本発明は、寝たきりの人のために歩行、ランニングと同程度の衝撃を人工的に骨に加えることにより老化防止を行うことが出来る、寝たきり老化防止装置である。
【発明が解決しようとする課題】
【０００５】現在、寝たきりの人は骨から出る体力維持のためのメッセージ物質が激減し、急激に体力が低下し、最悪の場合は死に至ってしまう。
この様な現状を解決するには歩行、ランニングと同程度の衝撃を人工的に骨に加えることにより体力維持及び老化防止を行う事が必要となっている。
【課題を解決するための手段】
【０００６】本発明により、寝たきりの人のために歩行、ランニングと同程度の衝撃を寝たままで人工的に骨に加えることにより体力維持と老化防止を行うことが出来る。
この様に寝たきりの姿勢で足部に装着する事により骨の人工的衝撃により骨から出たメッセージ物質が血管を通じて全身に届けられ、記憶力、筋力、生殖力を向上させる事を可能とした本発明の技術は極めて有用である。
【発明の効果】
【０００７】本発明は、寝たきりの人のために歩行、ランニングと同程度の衝撃を人工的に骨に加えることにより体力維持と老化防止を行うことが出来き、さら寝たきりの姿勢で足部に装着する事により骨への人工的衝撃により骨から出たメッセージ物質が血管を通じて全身に届けられ、記憶力、筋力、生殖力を向上させる事を可能とした。
【発明を実施するための形態】
【０００８】以下、本発明による寝たきり老化防止装置の図１、図２、は外観図である。
【０００９】以下、本発明による電磁石を使用した寝たきり老化防止装置を図１、図２、の外観図、図３、図４、に示す全体の構成図及び図７、に示す回路図に基づいて説明する。
【００１０】本発明の電磁石を使用した寝たきり老化防止装置はサンダル１と衝撃発生部の電磁石４、ゴムシート５、ヘッドパーツ７、可動鉄心８、防振ゴム６、スプリング９、電源コード１２、と衝撃制御部の制御回路部１０、スイッチ付き可変抵抗器１１、及び右カバー２左カバー３、により構成されている。
制御回路部１０、スイッチ付き可変抵抗器１１、はタッピングネジＣ１５、により左カバー３、に取り付けられ、電磁石４、ゴムシート５、ヘッドパーツ７、可動鉄心８、防振ゴム６、スプリング９、電源コード１２、は右カバー２、左カバー３、によって両側より挟まれてタッピングネジＢ１４、により結合され、サンダル１、にタッピングネジＡ１３、より取り付けられる。
【００１１】図１、２においてサンダル１、の底面部分を足とその足裏にストラップおよび固定バンド等により、しっかりと固定する。
【００１２】図３、４、７において電源コード１２、を電源に差し込み、スイッチ付き可変抵抗器１１、のスイッチをスライドさせスイッチを入れると制御回路部１０、のタイマー１１ｂ、が周期的に発振を行い、零スイッチ回路１１ｃ、により交流電源ＡＣの電圧の零位相を検出し、零位相からドライブ回路１１ｄ、を働かせて双方向性サイリスタＳ、を間欠動作させて電磁石４、に間欠電流を流す。
この間欠電流によって電磁石４、は励磁され、ヘッドパーツ７、を介して足裏の被衝撃部に断続的な衝撃を伝える。
【００１３】また、タイマー１１ｂ、の周期はスイッチ付き可変抵抗器１１、のスイッチの抵抗を変えることにより好みの衝撃回数に調節する事ができる。
【００１４】以下、本発明によるモーターとカムレバーとウエイトを使用した寝たきり老化防止装置を図１、図２、の外観図、図５、図６、に示す全体の構成図に基づいて説明する。
【００１５】本発明のモーターとカムレバーとウエイトを使用した寝たきり老化防止装置はサンダル１、と減速機付きモーター２０、回転レバー２１、カムレバー１８、衝撃発生部のウエイト１７、ネジ２２、ワッシャー２３、ゴムシート５、ヘッドパーツ７、シャフト１６、スプリングＢ１９、電源コード１２、モーターの制御回路部２５、スイッチ付き可変抵抗器１１、及び右カバー２、左カバー３、により構成されている。
制御回路部２５、及びスイッチ付き可変抵抗器１１、はタッピングネジＣ１５、により左カバー３、に取り付けられ、減速機付きモーター２０、及び回転レバー２１、は皿ビス２４、により右カバー２、に取り付けられる。ウエイト１７、はネジ２２、ワッシャー２３、を介してカムレバー１８、と連結され、カムレバー１８、ゴムシート５、ヘッドパーツ７、シャフト１６、スプリングＢ１９、電源コード１２、は右カバー２、左カバー３、によって両側より挟まれてタッピングネジＢ１４、により結合され、サンダル１、にタッピングネジＡ１３、より取り付けられる。
【００１６】図１、２においてサンダル１、の底面部分を足とその足裏にストラップおよび固定バンド等により、しっかりと固定する。
【００１７】図５、６において電源コード１２、を電源に差し込み、スイッチ付き可変抵抗器１１、のスイッチをスライドさせスイッチを入れると制御回路部２５、を介して、減速機付きモーター２０、に電流を流す。
この電流によって減速機付きモーター２０により回転レバー２１、が回転し、カムレバー１８、の前部の軸を中心にカムレバー１８、が振り子運動を行う。カムレバー１８、はネジ２２、ワッシャー２３、を介してウエイト１７、と連結され、ウエイト１７、はシャフト１６、に沿ってスプリングＢ１９、を圧縮する。
そして、回転レバー２１、が回転し、所定の位置でカムレバー１８、を解放するとウエイト１７、はスプリングＢ１９、の反発力で瞬間的に上方に移動し、その衝撃力がゴムシート５、を介してヘッドパーツ７、に伝達され足裏の被衝撃部に断続的な衝撃を伝える。
【００１８】また、衝撃の周期はスイッチ付き可変抵抗器１１のスイッチの抵抗を変えることにより好みに調節する事ができる。
【図面の簡単な説明】
【図１】寝たきり老化防止装置の右斜め外観図
【図２】寝たきり老化防止装置の左斜め外観図
【図３】電磁石を使用した寝たきり老化防止装置の側面の断面図
【図４】電磁石を使用した寝たきり老化防止装置の全体の構成図
【図５】モーターとカムレバーを使用した寝たきり老化防止装置の側面の断面図
【図６】モーターとカムレバーを使用した寝たきり老化防止装置の全体の構成図
【図７】電磁石を使用した寝たきり老化防止装置の電気回路
【符号の説明】
【００１９】１・・・サンダル、２・・・右カバー、３・・・左カバー、４・・・電磁石、５・・・ゴムシート、６・・・防振ゴム、７・・・ヘッドパーツ、８、・・・可動鉄心、９、・・・スプリング、１０、・・・制御回路部、１１・・・スイッチ付き可変抵抗器、１２・・・電源コード、１３・・・タッピングネジＡ、１４・・・タッピングネジＢ、１５・・・タッピングネジＣ、１６・・・シャフト、１７・・・ウエイト、１８・・・カムレバー、１９・・・スプリングＢ、２０・・・減速機付きモーター、２１・・・回転レバー、２２・・・ネジ、２３・・・ワッシャー、２４・・・皿ビス、２５、・・・モーター制御回路部